(57)【要約】【課題】工期を短縮できる地下タンクの施工方法を提供する。【解決手段】地下タンクの施工方法は、地盤Ｇ中に、地中連続壁５が設置される連続壁用穴部７Ａを掘削する第一削孔工程と、連続壁用穴部７Ａに地中連続壁５を構築する地中連続壁構築工程と、連続壁用穴部７Ａの外側に、側部ヒータ６が設置されるヒータ用穴部７Ｂを掘削する第二削孔工程と、ヒータ用穴部７Ｂに側部ヒータ６を設置する側部ヒータ設置工程と、地中連続壁５の内側に、底版２と筒状の側壁３とを有するタンク本体１０を構築するタンク本体構築工程と、タンク本体１０の外側を覆うように盛土を行う盛土工程と、を備え、側部ヒータ設置工程は、タンク本体構築工程の前に行うことを特徴とする。【選択図】図１
2019031821.tif 000002
【特許請求の範囲】
【請求項１】
地盤中に構築され、筒状に形成された地中連続壁と、該地中連続壁の内側に構築され、液体が貯蔵可能なタンク本体と、前記地中連続壁の外側に設置された側部ヒータと、を備える地下タンクの施工方法であって、
前記地盤中に、前記地中連続壁が設置される環状の連続壁用穴部を掘削する第一削孔工程と、
前記連続壁用穴部に前記地中連続壁を構築する地中連続壁構築工程と、
前記連続壁用穴部の外側に、前記側部ヒータが設置されるヒータ用穴部を掘削する第二削孔工程と、
前記ヒータ用穴部に前記側部ヒータを設置する側部ヒータ設置工程と、
前記地中連続壁の内側に、底版と筒状の側壁とを有するタンク本体を構築するタンク本体構築工程と、
前記タンク本体の外側を覆うように盛土を行う盛土工程と、を備え、
前記側部ヒータ設置工程は、前記タンク本体構築工程の前に行うことを特徴とする地下タンクの施工方法。
【請求項２】
前記側部ヒータ設置工程で設置された前記側部ヒータを、前記盛土の高さ分上方に延伸する側部ヒータ延伸工程と、
前記タンク本体構築工程で構築された前記側壁を、前記盛土の高さ分上方に延伸する側壁延伸工程と、を備え、
前記側部ヒータ延伸工程及び前記側壁延伸工程を、前記タンク本体構築工程の後、且つ前記盛土工程の前に行うことを特徴とする請求項１に記載の地下タンクの施工方法。
【発明の詳細な説明】
【技術分野】
【０００１】
本発明は、地下タンクの施工方法に関するものである。
【背景技術】
【０００２】
従来から、液化天然ガス（ＬＮＧ）等の低温液体は、地中に埋設された地下タンクに貯蔵されている。地下タンクは、底版と、底版の周囲に沿って構築された側壁と、側壁の上部を覆う屋根と、を備えている。この地下タンク内の液体の冷熱により、地下タンク周辺の地盤が凍結することを防止するために、地下タンクの側方（側壁の外方）等に側部ヒータが設置されたものが広く知られている（下記の特許文献１〜３参照）。
【０００３】
このような地下タンクの施工手順としては、地中に筒状の地中連続壁を構築し、地中連続壁の内部を掘削して、底版、側壁、屋根等の躯体を構築し、最後に盛土を行っている。一方、側部ヒータの設置は、側壁の構築後に側部ヒータを設置するための穴を掘削（削孔）し、盛土をする際に穴内に側部ヒータを設置している。
【先行技術文献】
【特許文献】
【０００４】
【特許文献１】特開２０００−２８２４９５号公報
【特許文献２】特開昭６２−８３５９９号公報
【特許文献３】特開平６−２２１０２８号公報
【発明の概要】
【発明が解決しようとする課題】
【０００５】
しかしながら、側部ヒータの削孔作業は屋根の構築作業と時期が重なるとともに、側部ヒータの設置作業は盛土作業と時期が重なるため、屋根の構築作業や盛土作業が側部ヒータの削孔作業や設置作業に影響を与える（あるいは、側部ヒータの削孔作業や設置作業が屋根の構築作業や盛土作業に影響を与える）クリティカルパスとなっているという問題点がある。
【０００６】
そこで、本発明は、上記事情に鑑みてなされたものであり、工期を短縮できる地下タンクの施工方法を提供する。
【課題を解決するための手段】
【０００７】
上記目的を達成するために、本発明は以下の手段を採用している。
すなわち、本発明に係る地下タンクの施工方法は、地盤中に構築され、筒状に形成された地中連続壁と、該地中連続壁の内側に構築され、液体が貯蔵可能なタンク本体と、前記地中連続壁の外側に設置された側部ヒータと、を備える地下タンクの施工方法であって、前記地盤中に、前記地中連続壁が設置される環状の連続壁用穴部を掘削する第一削孔工程と、前記連続壁用穴部に前記地中連続壁を構築する地中連続壁構築工程と、前記連続壁用穴部の外側に、前記側部ヒータが設置されるヒータ用穴部を掘削する第二削孔工程と、前記ヒータ用穴部に前記側部ヒータを設置する側部ヒータ設置工程と、前記地中連続壁の内側に、底版と筒状の側壁とを有するタンク本体を構築するタンク本体構築工程と、前記タンク本体の外側を覆うように盛土を行う盛土工程と、を備え、前記側部ヒータ設置工程は、前記タンク本体構築工程の前に行うことを特徴とする。
【０００８】
このように構成された地下タンクの施工方法では、側部ヒータ設置工程をタンク本体構築工程の前に行うことで、側部ヒータ設置工程がクリティカルパスから外れるため、従来と比較して工期短縮を図ることができる。
【０００９】
また、本発明に係る地下タンクの施工方法は、前記側部ヒータ設置工程で設置された前記側部ヒータを、前記盛土の高さ分上方に延伸する側部ヒータ延伸工程と、前記タンク本体構築工程で構築された前記側壁を、前記盛土の高さ分上方に延伸する側壁延伸工程と、を備え、前記側部ヒータ延伸工程及び前記側壁延伸工程を、前記タンク本体構築工程の後、且つ前記盛土工程の前に行うことが好ましい。
【００１０】
このように構成された地下タンクの施工方法では、側部ヒータ延伸工程及び側壁延伸工程で、それぞれ上方に延伸した側部ヒータ及び側壁は、その後の盛土工程で盛土に確実に埋設される。さらに、側部ヒータ延伸工程及び側壁延伸工程を盛土工程の前に行うことで、側部ヒータ延伸工程がクリティカルパスから外れるため、従来と比較して工期短縮を確実に図ることができる。
【発明の効果】
【００１１】
本発明に係る地下タンクの施工方法によれば、工期を短縮することができる。
【図面の簡単な説明】
【００１２】
【図１】本発明の一実施形態に係る地下タンクを示す模式的な縦断面図である。
【図２】本発明の一実施形態に係る地下タンクを示す模式的な平面図である。
【図３】本発明の一実施形態に係る地下タンクの施工方法の地中連続壁構築工程を示す図である。
【図４】本発明の一実施形態に係る地下タンクの施工方法の側部ヒータ設置工程を示す図である。
【図５】本発明の一実施形態に係る地下タンクの施工方法のタンク本体構築工程を示す図である。
【図６】本発明の一実施形態に係る地下タンクの施工方法の側部ヒータ延伸工程及び側壁延伸工程を示す図である。
【図７】本発明の一実施形態に係る地下タンクの施工方法の盛土工程を示す図である。
【発明を実施するための形態】
【００１３】
本発明の一実施形態に係る地下タンクの施工方法について、図面を用いて説明する。
まず、地下タンクについて説明する。
図１は、本発明の一実施形態に係る地下タンクを示す模式的な縦断面図である。図２は、本発明の一実施形態に係る地下タンクを示す模式的な平面図である。
図１及び図２に示すように、本実施形態に係る地下タンク１は、例えば、ＬＮＧ貯蔵タンクとして使用されるものである。地下タンク１は、タンク本体１０と、タンク本体１０の外周面に沿って構築された地中連続壁５と、地中連続壁５の外側に設けられた側部ヒータ６と、を備えている。
【００１４】
タンク本体１０は、地盤Ｇ面よりも下方に設置された平面視略円形状の底版２と、略円筒状の側壁３と、側壁３の上端部３ａに支持されたドーム状の屋根４と、を有している。
【００１５】
底版２は、鉄筋コンクリート造で、掘削された地盤Ｇ上に設けられた砕石層１１の上部に構築されている。底版２の内部には、地下タンク１内の温度調整を行う底部ヒータ（不図示）が設置されている。
【００１６】
側壁３は、鉄筋コンクリート造で、下端部３ｂが底版２の外縁部２ａに剛に接合されている。底版２及び側壁３により、有底円筒状に構成されている。底版２及び側壁３の内面には、図示しない保冷材及びメンブレン材が設置されている。
【００１７】
側壁３の上部側の外周には地下タンク１の施工中に盛土されているため、地下タンク１は地下に配置された構成となっている。
【００１８】
屋根４は、鉄筋コンクリート造で、平面視において円形状に形成され、側壁３の上端部３ａに接続されている。
【００１９】
また、側壁３の下端部３ｂ側の外周の地盤Ｇには、側壁３の外周面に沿った形状で平面視円環状の地中連続壁５が設けられている。
【００２０】
地中連続壁５は、土留めとして地盤Ｇの崩落を防ぐ機能や止水機能を備えている。地中連続壁５は、地下タンク１の底版２よりもさらに深く構築されており、下端部５ｂは難透水層（洪積粘性土層）１３まで達している。地中連続壁５は、例えば、鉄筋コンクリートなどで構築されている。
【００２１】
地中連続壁５の外側には、複数の側部ヒータ６が設置されている。側部ヒータ６は、地中連続壁５の周方向に間隔を有して配置されている。側部ヒータ６は、地盤Ｇの凍結膨張を抑制するためのものである。本実施形態では、側部ヒータ６は、平面視略円形状をなしている。例えば、側部ヒータ６は、温水を流すため２重構造で構成されている。
【００２２】
次に、上述した地下タンク１の施工方法について説明する。
予め、地盤改良工事や、地盤Ｇの表層部を盤下げ掘削し周囲の地盤Ｇよりも低くなるようにする地盤表層部掘削工事を行っておく。
【００２３】
（第一削孔工程）
地中連続壁５の設置予定箇所に沿って、連続壁用溝（連続壁用穴部）７Ａを設ける。平面視で、連続壁用溝７Ａは環状をなしている。
【００２４】
（地中連続壁構築工程）
図３は、地中連続壁構築工程を示す図である。
図３に示すように、連続壁用溝７Ａに、鉄筋を配置してコンクリートを打設する周知技術により、地中連続壁５を構築する。
【００２５】
（第二削孔工程）
図２に示すように、側部ヒータ６の設置予定箇所に沿って、ヒータ用穴（ヒータ用穴部）７Ｂをボーリングマシン等で設ける。平面視で、ヒータ用穴７Ｂは、円形状をなしている。ヒータ用穴７Ｂは、連続壁用溝７Ａの外側に、つまり連続壁用溝７Ａの径方向外側に、連続壁用溝７Ａの周方向に間隔を有して複数設けられる。
【００２６】
（側部ヒータ設置工程）
図４は、側部ヒータ設置工程を示す図である。
図４に示すように、ヒータ用穴７Ｂに、側部ヒータ６を設置する。本実施形態では、側部ヒータ６の下端部６ｂ側（下部ヒータ６Ｘと称する）が設置される。換言すると、図１に示す側部ヒータ６の上端部６ａ側はこの段階ではまだ設置されていない。
【００２７】
（タンク本体構築工程）
図５は、タンク本体構築工程を示す図である。
図５に示すように、地中連続壁５の内部を掘削し、鉄筋を配置してコンクリートを打設する周知技術により、底版２及び側壁３の下端部３ｂ側（下部側壁３Ｘと称する）を構築する。換言すると、図１に示す側壁３の上端部３ａ側はこの段階ではまた構築されていない。
【００２８】
（側部ヒータ延伸工程及び側壁延伸工程）
図６は、側部ヒータ延伸工程及び側壁延伸工程を示す図である。
図６に示すように、側部ヒータ設置工程で設置した下部ヒータ６Ｘの上方に、側部ヒータ６の上端部６ａ側（上部ヒータ６Ｙと称する）を接続して、側部ヒータ６全体を構築する。また、タンク本体構築工程で構築した下部側壁３Ｘの上方に、側壁３の上端部３ａ側（上部側壁３Ｙと称する）を構築して、側壁３を構築する。その後、屋根４（図１参照）を構築する。上部ヒータ６Ｙ及び上部側壁３Ｙの高さは、後述する盛土Ｇａ（図７参照）の高さに相当する。
【００２９】
（盛土工程）
図７は、盛土工程を示す図である。
図７に示すように、側壁３の外周面が地中に埋設されるように、側壁３の上端部３ａ付近の高さまで盛土を行う。図１において、盛土された地盤ＧをＧａと示す。
【００３０】
このように構成された地下タンク１の施工方法によれば、側部ヒータ設置工程をタンク本体構築工程の前に行うことで、側部ヒータ設置工程がクリティカルパスから外れるため、従来と比較して工期短縮を図ることができる。
【００３１】
また、側部ヒータ延伸工程及び側壁延伸工程で、それぞれ上方に延伸した側部ヒータ（上部ヒータ６Ｙ）及び側壁（上部側壁３Ｙ）は、その後の盛土工程で盛土に確実に埋設される。さらに、側部ヒータ延伸工程及び側壁延伸工程を盛土工程の前に行うことで、側部ヒータ延伸工程がクリティカルパスから外れるため、従来と比較して工期短縮を確実に図ることができる。
【００３２】
なお、上述した実施の形態において示した各構成部材の諸形状や組み合わせ等は一例であって、本発明の主旨から逸脱しない範囲において設計要求等に基づき種々変更可能である。
【符号の説明】
【００３３】
１…地下タンク
２…底版
３…側壁
４…屋根
５…地中連続壁
６…側部ヒータ
７Ａ…連続壁用溝（連続壁用穴部）
７Ｂ…ヒータ用穴（ヒータ用穴部）
１０…タンク本体
１１…砕石層
Ｇ…地盤
【図１】
2019031821.tif 000003
【図２】
2019031821.tif 000004
【図３】
2019031821.tif 000005
【図４】
2019031821.tif 000006
【図５】
2019031821.tif 000007
【図６】
2019031821.tif 000008
【図７】
2019031821.tif 000009